(57)【特許請求の範囲】
【請求項１】
吸込口体本体と、
この吸込口体本体に回転可能に設けられ、被掃除面の塵埃を掃除する第１回転清掃体と、
前記吸込口体本体に回動可能に設けられ、前記第１回転清掃体と接触する回転体と、
前記第１回転清掃体と前記回転体とのいずれか一方を回転させる駆動手段と、
前記吸込口体本体の略全幅に亘る軸寸法を有し、前記吸込口体本体の前記第１回転清掃体よりも前方で両端部が回転可能に軸支され、前記回転体との接触により回転駆動されて被掃除面の塵埃を掃除する第２回転清掃体と
を具備したことを特徴とした吸込口体。
【請求項２】
第１回転清掃体と第２回転清掃体とは、互いに接触している
ことを特徴とした請求項１記載の吸込口体。
【請求項３】
第２回転清掃体は、
両端部が吸込口体本体に軸支された軸部と、
この軸部の外周部から突出した第１清掃部材と、
この第１清掃部材よりも硬質に設けられ、前記軸部の外周部から前記第１清掃部材の突出量よりも小さい突出量で突出し、回転体に接触する第２清掃部材とを備えている
ことを特徴とした請求項１または２記載の吸込口体。
【請求項４】
電動送風機を収容した掃除機本体と、
前記電動送風機の吸込側に連通して前記掃除機本体に接続される請求項１ないし３いずれか一記載の吸込口体と
を具備したことを特徴とした電気掃除機。
【発明の詳細な説明】
【技術分野】
【０００１】
本発明は、被掃除面の塵埃を掃除する回転清掃体を有する吸込口体およびこれを備えた電気掃除機に関する。
【背景技術】
【０００２】
従来、この種の電気掃除機は、電動送風機を収容した掃除機本体を備えている。この掃除機本体には、電動送風機の吸込側に連通して集塵部が設けられ、この集塵部は、掃除機本体に開口された本体吸込口を介して掃除機本体の外部と連通している。この本体吸込口には、ホース体、延長管および吸込口体としての床ブラシが順次連通接続される。そして、床ブラシは、吸込口体本体としての横長のケース体を有している。このケース体の被掃除面すなわち床面に対向する下面には、横長の吸込口が開口形成されている。さらに、この吸込口には、この吸込口の両端部の軸受部に回転可能に軸支された軸状の回転清掃体である回転ブラシが複数設けられている。これら回転ブラシは、ケース体内に配置された駆動手段であるモータの回転などにより周方向にそれぞれ回転されることで、床面に付着した塵埃などを床面から掻き取る(例えば、特許文献１および２参照。)。
【特許文献１】特開２００２−２１９０８０号公報(第３頁、図２および図５)
【特許文献２】特開２００６−３４０８２７号公報(第４頁、図１−２)
【発明の開示】
【発明が解決しようとする課題】
【０００３】
しかしながら、モータにより回転ブラシを回転させる際には、モータの回転軸に対して回転ブラシ側をギヤやベルトなどで接続する必要がある。このため、上述の床ブラシでは、このような接続部分が回転ブラシの軸方向の両端側に形成されることから、回転ブラシの軸方向の両端のさらに側方の位置に床面の塵埃を吸い込んだり除去したりすることができない部分が生じ、掃除残りを招くという問題点を有している。
【０００４】
本発明は、このような点に鑑みなされたもので、掃除残りを低減し効率よく掃除できる吸込口体およびこれを備えた電気掃除機を提供することを目的とする。
【課題を解決するための手段】
【０００５】
本発明は、吸込口体本体に回転可能に設けられ、被掃除面の塵埃を掃除する第１回転清掃体と、吸込口体本体に回動可能に設けられ、第１回転清掃体と接触する回転体と、第１回転清掃体と回転体とのいずれか一方を回転させる駆動手段と、吸込口体本体の略全幅に亘る軸寸法を有し、吸込口体本体の第１回転清掃体よりも前方で両端部が回転可能に軸支され、回転体との接触により回転駆動されて被掃除面の塵埃を掃除する第２回転清掃体とを具備したものである。
【発明の効果】
【０００６】
本発明によれば、回転体あるいはこの回転体と接触する第１回転清掃体のいずれかを駆動手段により回転させ、この回転体を接触させることで第２回転清掃体を回転させることにより、第２回転清掃体の軸方向の両端部側方に駆動手段の動力を第２回転清掃体へと伝達する機構を要さず、第２回転清掃体を吸込口体本体の略全幅に亘って形成でき、掃除残りを低減できるとともに、同一方向に回転する第１回転清掃体と第２回転清掃体により、被掃除面をより効率よく掃除できる。
【発明を実施するための最良の形態】
【０００７】
以下、本発明の一実施の形態の構成を図１ないし図３を参照して説明する。
【０００８】
図３において、１は掃除機本体で、この掃除機本体１は、内部に収容された電動送風機２の駆動にて生じる吸気風とともに吸い込んだ塵埃を、集塵部に捕集するものである。
【０００９】
また、この掃除機本体１には、電動送風機２の動作を制御する制御手段としての図示しない制御回路が収容されているとともに、外部から空気を吸引する本体吸込口３が前部に開口されている。この本体吸込口３には、可撓性を有し湾曲可能な細長略円筒状のホース体４が連通接続されている。このホース体４の先端には、電動送風機２の動作モードなどが選択可能な手元操作部５が設けられている。この手元操作部５には、掃除する際に作業者が把持する把持部６が基端側に向けて突設され、この把持部６には、制御回路に所定の信号を送信して掃除機本体１内の電動送風機２などを複数の動作モードに設定する複数の設定ボタン７が設けられている。
【００１０】
さらに、手元操作部５の先端には、伸縮可能な細長略円筒状の延長管８が着脱可能に連通接続されている。すなわち、延長管８は、ホース体４を介して電動送風機２の吸込側に連通接続されている。また、この延長管８の先端には、例えば室内の被掃除面としての床面Ｆの絨毯などの上に載置させて、この絨毯上の塵埃を吸い込む吸込口体としての床ブラシ９が着脱可能に連通接続されている。したがって、床ブラシ９は、延長管８、ホース体４および本体吸込口３を介して、電動送風機２の吸込側に連通接続される。
【００１１】
そして、床ブラシ９は、図１および図２に示すように、吸込口体本体としての横長のケース体11と、このケース体11の後部に設けられた接続管12とを備えている。
【００１２】
ケース体11は、前端部に横長の吸込口15が切り欠き形成され上側が開放された下ケース16と、この下ケース16の上部の後側を覆い、下ケース16との間で接続管12を回転可能に挟持する上ケース17と、この上ケース17の前部に吸込口15と連通して形成された前側吸込口18を覆うケース部材としての前蓋である前カバー19とを備えている。さらに、このケース体11内には、駆動手段としての電動部である駆動源、すなわちモータ21と、このモータ21により回転されるトルク伝達体である第１回転清掃体としての第１回転ブラシ22と、この第１回転ブラシ22との接触により回転される回転体23と、この回転体23との接触により回転される第２回転清掃体としての第２回転ブラシ24とがそれぞれ設けられている。
【００１３】
吸込口15は、横長形状の第１吸込口部としての後部吸込口部15aと、この後部吸込口部15aの前部に連続し、この後部吸込口部15aよりも幅寸法が大きくケース体11(下ケース16)の左右幅略全域、すなわち略全幅に亘って連続した横長形状に形成された第２吸込口部としての前部吸込口部15bとを有している。このため、吸込口15は、平面視で凸字状に形成されている。
【００１４】
なお、以下、本実施の形態において、略全幅とは、全幅、および僅かに全幅よりも狭い状態を含むものとする。
【００１５】
下ケース16は、後部の中央部に、後側へと突出した突出部25が設けられ、この突出部25の先端部に切り欠き形成された凹部26に、後車輪27が回転自在に軸支されている。また、この下ケース16の下面には、起毛布などにより形成され床面Ｆ上の塵埃を拭き取る拭取部材28が吸込口15の後方の一側に設けられている。
【００１６】
前側吸込口18は、ケース体11の前部全幅に亘って横長に形成されている。
【００１７】
前カバー19は、側面視で前側に凸となるように湾曲したカバー本体31と、このカバー本体31の下端部から突出した可撓部32とを備えている。そして、この前カバー19は、第２回転ブラシ24の前側上方を覆っている。
【００１８】
カバー本体31は、上端部が前側吸込口18の上端部に前後方向に回動可能に軸支された軸支部31aとなっている。この軸支部31aは、図示しない付勢手段であるトーションばねなどにより前方に向けて回動するように付勢されている。
【００１９】
可撓部32は、可撓性を有するゴムなどにより形成され、先端部が床面Ｆに対して離間されている。
【００２０】
モータ21は、ケース体11の左右方向に沿って、このケース体11の吸込口15(後部吸込口部15a)よりも後方である後部寄りに配設され、モータ回転軸21aの先端部に取り付けられた出力プーリ35に駆動伝達手段としてのベルト36が巻き掛けられ、このベルト36が第１回転ブラシ22側にも巻き掛けられていることにより、モータ21の回転によって第１回転ブラシ22が回転されるように構成されている。また、このモータ21は、ケース体11の内部に収容された図示しない駆動手段制御部としての図示しないモータ制御回路を介して駆動が制御されている。このモータ制御回路は、設定ボタン７および掃除機本体１側にそれぞれ電気的に接続され、設定ボタン７による動作設定に対応してモータ21の回転のオン／オフ、すなわちモータ21の駆動を制御可能となっている。
【００２１】
第１回転ブラシ22は、床面Ｆを掃除するとともに床ブラシ９の走行(前進)を補助するもので、長尺状の第１軸部である第１ブラシ台41と、この第１ブラシ台41に設けられた複数、例えば２つの第１突出清掃部材としての拭取部材である第１ブラシ部材42および複数、例えば２つの第２突出清掃部材としての掻出部材である第１ブレード部材43とを備え、第１ブラシ台41の両端部にプーリ44がそれぞれ取り付けられているとともに、これらプーリ44が軸受45によりそれぞれケース体11に対して回転可能に軸支されている。また、第１回転ブラシ22は、吸込口15の後部吸込口部15aに嵌合して位置し、この後部吸込口部15aから露出している。
【００２２】
第１ブラシ台41は、例えば金属、あるいは合成樹脂などにより形成されている。
【００２３】
各第１ブラシ部材42は、例えばフローリングなどの床面Ｆを掃除するためのもので、軟質の合成樹脂により形成された多数のブラシ毛42aを植毛して構成され、第１ブラシ台41から径方向に突出し、かつ、第１ブラシ台41の軸方向に連続した壁状に形成されている。また、各第１ブラシ部材42は、第１回転ブラシ22の回転により先端部が側面視で第１ブラシ台41を中心とする仮想円である回転軌道C1上を回転するように構成されている。
【００２４】
各第１ブレード部材43は、例えば絨毯などの床面Ｆを掃除するためのもので、第１ブラシ部材42よりも硬質で可撓性を有する合成樹脂などにより構成されており、第１ブラシ台41から径方向に突出し、かつ、第１ブラシ台41の軸方向に連続した壁状に形成されている。また、各第１ブレード部材43は、第１回転ブラシ22の回転により先端部が側面視で回転軌道C1と同心の回転軌道C2上を回転するように構成されている。ここで、第１ブレード部材43は、第１ブラシ台41からの突出量が第１ブラシ部材42よりも小さく設定されている。従って、回転軌道C2は回転軌道C1よりも径が小さい。
【００２５】
そして、第１ブラシ部材42と第１ブレード部材43とは、第１ブラシ台41の周方向に交互に配置され、周方向に互いに略等角度に離間されている。
【００２６】
各プーリ44は、第１ブラシ台41の両端部に一体的に取り付けられており、一方のプーリ44(図１中の右側のプーリ44)の外周面には、上記ベルト36が巻き掛けられる図示しないギヤ部が形成されている。
【００２７】
軸受45は、下ケース16の吸込口15の前部吸込口部15bの後方でかつ後部吸込口部15aとこの後部吸込口部15aの両側部との間に形成された第１吸込口部側板部としての後幅部46に対応する位置に設けられ、これら軸受45に第１ブラシ台41の両端部が軸支された状態で、第１回転ブラシ22は、吸込口15の後部吸込口部15aに臨んで、すなわち後部吸込口部15aから露出して位置し、各第１ブラシ部材42の先端側が後部吸込口部15aの開口面よりも外方に突出するとともに、各第１ブレード部材43の先端側が後部吸込口部15aの開口面よりも上方に位置している。
【００２８】
回転体23は、長尺状の回転体回転軸47と、この回転体回転軸47に設けられた複数、例えば２つの回転体第１清掃部材としての拭取部材である回転体ブラシ部材48および複数、例えば２つの回転体第２清掃部材としての掻出部材である回転体ブレード部材49とを備え、回転体回転軸47の両端部が、軸受50によりそれぞれケース体11に対して回転可能に軸支されている。
【００２９】
回転体回転軸47は、例えば金属、あるいは合成樹脂などにより形成されている。また、この回転体回転軸47は、第１回転ブラシ22の第１ブラシ台41よりも軸方向寸法が小さく設定されている。
【００３０】
各回転体ブラシ部材48は、例えばフローリングなどの床面Ｆを掃除するためのもので、軟質の合成樹脂により形成された多数のブラシ毛48aを植毛して構成され、回転体回転軸47から径方向に突出し、かつ、回転体回転軸47の軸方向に連続した壁状に形成されている。また、各回転体ブラシ部材48は、回転体23の回転により先端部が側面視で回転体回転軸47を中心とする仮想円である回転軌道C3上を回転するように構成されている。
【００３１】
各回転体ブレード部材49は、第２回転ブラシ24を掃除するためのもので、回転体ブラシ部材48よりも硬質で可撓性を有する合成樹脂などにより構成されており、回転体回転軸47から径方向に突出し、かつ、回転体回転軸47の軸方向に連続した壁状に形成されている。また、各回転体ブレード部材49は、回転体23の回転により先端部が側面視で回転軌道C3と同心の回転軌道C4上を回転するように構成されている。ここで、回転体ブレード部材49は、回転体回転軸47からの突出量が回転体ブラシ部材48よりも小さく設定されている。従って、回転軌道C4は回転軌道C3よりも径が小さい。
【００３２】
そして、回転体ブラシ部材48と回転体ブレード部材49とは、回転体回転軸47の周方向に交互に配置され、周方向に互いに略等角度に離間されている。
【００３３】
軸受50は、ケース体11内の吸込口15の前後方向の中心前側寄りの上方にて上ケース17の下面から下方に突出して形成されている。このため、回転体23は、回転ブラシ22，24の間の上側に位置することで吸込口15に対してこれら回転ブラシ22，24の背後に隠れ、この吸込口15から殆ど露出しないように配置されている。
【００３４】
さらに、各軸受50により軸支された状態で、回転体23の各回転体ブラシ部材48の回転軌道C3は、第１回転ブラシ22の第１ブラシ部材42および第１ブレード部材43のそれぞれの回転軌道C1，C2とそれぞれ交差している。また、回転体23の各回転体ブレード部材49の回転軌道C4および回転体回転軸47は、第１回転ブラシ22の第１ブラシ部材42の回転軌道C1とそれぞれ交差している。換言すれば、第１回転ブラシ22の各第１ブラシ部材42は、この第１回転ブラシ22の回転によって、回転体23の各回転体ブラシ部材48、各回転体ブレード部材49および回転体回転軸47の外周面と当接し、各第１ブレード部材43は、回転体23の各回転体ブラシ部材48と当接するように構成され、これら当接によって、第１回転ブラシ22が回転体23を回転させるように構成されている。なお、本実施の形態において、第１回転ブラシ22の各第１ブラシ部材42の先端部は、回転体23の回転体回転軸47に対して接触するように構成されているものの、各第１ブラシ部材42の先端部を回転体回転軸47に接触させないように構成してもよい。
【００３５】
第２回転ブラシ24は、長尺状の軸部としての第２軸部である第２ブラシ台53と、この第２ブラシ台53に設けられた複数、例えば２つの第１清掃部材としての拭取部材である第２ブラシ部材54および複数、例えば２つの第２清掃部材としての掻出部材である第２ブレード部材55とを備え、第２ブラシ台53の両端部が、軸受56によりそれぞれケース体11に対して回転可能に軸支されている。
【００３６】
第２ブラシ台53は、例えば金属、あるいは合成樹脂などにより形成されている。また、この第２ブラシ台53は、吸込口15の前部吸込口部15bの幅寸法よりも大きくケース体11(下ケース16)の略全幅に亘る長さに形成されている。すなわち、この第２ブラシ台53は、第１ブラシ台41および回転体回転軸47よりも軸方向寸法が大きく設定されている。さらに、この第２ブラシ台53は、第１ブラシ台41よりも径寸法が小さく設定されている。
【００３７】
各第２ブラシ部材54は、例えばフローリングなどの床面Ｆを掃除するためのもので、軟質の合成樹脂により形成された多数のブラシ毛54aを植毛して構成され、第２ブラシ台53から径方向に突出し、かつ、第２ブラシ台53の軸方向に連続した壁状に形成されている。また、各第２ブラシ部材54は、第２回転ブラシ24の回転により先端部が側面視で第２ブラシ台53を中心とする仮想円である回転軌道C5上を回転するように構成されている。
【００３８】
各第２ブレード部材55は、例えば絨毯などの床面Ｆを掃除するためのもので、第２ブラシ部材54よりも硬質で可撓性を有する合成樹脂などにより構成されており、第２ブラシ台53から径方向に突出し、かつ、第２ブラシ台53の軸方向に連続した壁状に形成されている。また、各第２ブレード部材55は、第２回転ブラシ24の回転により先端部が側面視で回転軌道C5と同心の回転軌道C6上を回転するように構成されている。ここで、第２ブレード部材55は、第２ブラシ台53からの突出量が第２ブラシ部材54よりも小さく設定されている。従って、回転軌道C6は回転軌道C5よりも径が小さい。
【００３９】
そして、第２ブラシ部材54と第２ブレード部材55とは、第２ブラシ台53の周方向に交互に配置され、周方向に互いに略等角度に離間されている。
【００４０】
各軸受56は、吸込口15の前部吸込口部15bとこの前部吸込口部15bの両側部との間に形成された第２吸込口側板部としての僅かな幅部58に対応する位置に設けられ、これら軸受56に第２ブラシ台53の両端部が軸支された状態で、第２回転ブラシ24は、吸込口15の前部吸込口部15bに臨んで、すなわち前部吸込口部15bから露出して位置し、各第２ブラシ部材54の先端側が前部吸込口部15bの開口面よりも外方に突出するとともに、各第２ブレード部材55の先端側が前部吸込口部15bの開口面よりも上方に位置している。
【００４１】
さらに、各軸受56により軸支された状態で、第２回転ブラシ24の各第２ブラシ部材54の回転軌道C5は、回転体23の回転体ブラシ部材48および回転体ブレード部材49のそれぞれの回転軌道C3，C4、および、第１回転ブラシ22の第１ブラシ部材42の回転軌道C1とそれぞれ交差している。また、第２回転ブラシ24の各第２ブレード部材55の回転軌道C6および第２ブラシ台53は、回転体23の回転体ブラシ部材48の回転軌道C3とそれぞれ交差している。換言すれば、回転体23の各回転体ブラシ部材48は、第１回転ブラシ22の回転時のこの第１回転ブラシ22との接触による回転体23の回転によって、第２回転ブラシ24の各第２ブラシ部材54、各第２ブレード部材55および第２ブラシ台53の外周面と当接し、各回転体ブレード部材49は、第２回転ブラシ24の各第２ブラシ部材54と当接するように構成され、これら当接によって、回転体23が第２回転ブラシ24を回転させるように構成されている。
【００４２】
接続管12は、ケース体11内に区画され吸込口15および前側吸込口18に連通する空間部59と連通している。また、この接続管12は、ケース体11に対して周方向などに回動可能に連結されている。
【００４３】
次に、上記一実施の形態の動作を説明する。
【００４４】
まず、作業者は、掃除機本体１の本体吸込口３に、ホース体４、延長管８および床ブラシ９を順次連通接続する。
【００４５】
さらに、作業者が、掃除機本体１から電源コードを引き出して図示しないコンセントに接続した後、把持部６を把持して所定の設定ボタン７を操作すると、この設定ボタン７により設定された動作モードに応じて電動送風機２が駆動される。
【００４６】
そして、作業者は、把持部６を把持して図３に示すように床面上で床ブラシ９を前後に走行させ、吸込口15および前側吸込口18から塵埃を空気とともに吸い込む。
【００４７】
この掃除作業において、例えばフローリングなどの比較的硬い床面Ｆを掃除する場合には、床ブラシ９の各回転ブラシ22，24の各ブラシ部材42，54が床面Ｆに当接し、例えば毛足の長い絨毯などの床面Ｆを掃除する場合には、床ブラシ９が床面Ｆに対して沈み込むことで、各回転ブラシ22，24の各ブラシ部材42，54が床面Ｆに入り込み、各ブレード部材43，55が床面Ｆに接触する。
【００４８】
これらの状態で、作業者が所定の設定ボタン７を操作すると、モータ制御回路がモータ21の駆動を制御してこのモータ21を図２中の時計回り方向、すなわち床ブラシ９の前方向へと回転させる。
【００４９】
すると、このモータ21のモータ回転軸21aに取り付けられた出力プーリ35と第１回転ブラシ22の一方のプーリ44との間に巻き掛けられたベルト36によって、モータ21の回転が第１回転ブラシ22へと伝達され、この第１回転ブラシ22が図２中の時計回り方向に回転駆動される。
【００５０】
この第１回転ブラシ22の回転により、この第１回転ブラシ22の各第１ブラシ部材42が回転体23の各部材48，49に当接するとともに、第１回転ブラシ22の各第１ブレード部材43が回転体23の各回転体ブラシ部材48に当接することで、回転体23が第１回転ブラシ22の回転方向と反対方向、すなわち図２中の反時計回り方向、換言すれば床ブラシ９の後方向へと回転する。
【００５１】
さらに、この回転体23の回転により、この回転体23の各回転体ブラシ部材48が第２回転ブラシ24の各部材54，55に当接するとともに、回転体23の各回転体ブレード部材49が第２回転ブラシ24の各第２ブラシ部材54に当接することで、第２回転ブラシ24が回転体23の回転方向と反対方向、すなわち図２中の時計回り方向、換言すれば第１回転ブラシ22の回転方向と同じ床ブラシ９の前方向へと回転する。
【００５２】
そして、各回転ブラシ22，24の回転により、フローリングなどの掃除の場合には、各ブラシ部材42，54が床面Ｆを磨くように掃除し、毛足の長い絨毯などの掃除の場合には、床面Ｆに入り込んだ塵埃が各ブラシ部材42，54と各ブレード部材43，55によって掻き出され、吸込口15および前側吸込口18から空間部59を介して接続管12側へと吸い込まれる。
【００５３】
さらに、各ブラシ部材42，54や各ブレード部材43，55に付着した塵埃は、ブラシ部材42，54同士の当接、および、回転体23の各部材48，49との当接などによってそれぞれ掻き取られる。
【００５４】
また、壁際などの掃除の際には、作業者が床ブラシ９の前側を壁に押し当てることにより、前カバー19が軸支部31aを中心として後方に回動して後面が第２回転ブラシ24の各第２ブラシ部材54などに接触し、第２回転ブラシ24が相対的に床ブラシ９の前側吸込口18から前方に突出して、この相対的に突出した第２回転ブラシ24の回転によって、壁際などの塵埃を前側吸込口18から吸い込む。
【００５５】
床ブラシ９から空気とともに吸い込んだ塵埃は、延長管８およびホース体４を介して、本体吸込口３から集塵部へと運ばれ、この集塵部に捕集され、この塵埃が捕集された空気が電動送風機２を介して図示しない排気孔から掃除機本体１の外部へと排気される。
【００５６】
上述したように、上記一実施の形態では、モータ21により回転させた第１回転ブラシ22の各部材42，43を回転体23の各部材48，49に接触させることで回転体23を回転させ、この回転体23の各部材48，49を第２回転ブラシ24の各部材54，55に接触させることで第２回転ブラシ24を回転させる構成とした。
【００５７】
すなわち、モータにより回転ブラシを直接回転させる従来の構成では、モータから回転ブラシへと回転を伝達するためのベルトやギヤなどの機構を回転ブラシの側方などに要し、ケース体の幅寸法に対してこの機構の分、幅寸法を取らなければならなくなり、このような機構の部分に吸込口を設けることができないので、この機構に対向する位置に掃除残りが生じるのに対して、本実施の形態によれば、第２回転ブラシ24の軸方向の両端部側方にモータ21の動力を第２回転ブラシ24へと伝達するための各種機構を要さず、第２回転ブラシ24をケース体11の略全幅に亘って形成でき、部品点数を増加させることなく掃除残りを低減できる。
【００５８】
換言すれば、本実施の形態は、第２回転ブラシ24の両端部の軸受56，56(幅部58，58)の部分は僅かに形成されるものの、上記機構の分だけ従来の構成では吸い込むことができなかった部分の塵埃を、吸い込むことが可能になり、掃除残りが殆どないようにできる。
【００５９】
特に、第２回転ブラシ24の軸方向寸法をケース体11の略全幅としているため、床面Ｆの角部などを掃除する際にも、この角部の塵埃をも吸込口15および前側吸込口18から吸い込むことが可能となり、床面Ｆの隅々まで掃除が可能になる。
【００６０】
また、各回転ブラシ22，24が同一方向に回転することにより、これら回転ブラシ22，24によって床面Ｆをより効率よく掃除できる。
【００６１】
すなわち、各回転ブラシ22，24は、各ブラシ部材42，54が床ブラシ９の前進方向へと回転して床面Ｆと接触する、換言すれば、各ブラシ部材42，54が床ブラシ９の前進方向に食い込むように回転することにより、床ブラシ９を前進させた際に、各回転ブラシ22，24の回転の相対速度、すなわち各ブラシ部材42，54の床面Ｆへの相対接触速度が向上するため、塵埃の除去効率を向上できるとともに、床ブラシ９を前進させた際にも、前方の塵埃を第２回転ブラシ24が巻き込むので、塵埃を前方へと弾き飛ばすことなく確実に吸い込むことができ、かつ、床ブラシ９の前進時に、回転している各回転ブラシ22，24がこの前進を補助するので、走行性を向上できる。
【００６２】
さらに、第２回転ブラシ24は、第２ブラシ台53に対して、第２ブラシ部材54と、この第２ブラシ部材54よりも第２ブラシ台53からの突出量が小さい第２ブレード部材55とを突出させ、モータ21によって回転される第１回転ブラシ22との当接によって回転される回転体23の各回転体ブラシ部材48に第２ブラシ部材54よりも硬質の第２ブレード部材55を当接させることで回転することにより、回転体23の回転を第２回転ブラシ24に確実に伝えることができ、第２回転ブラシ24を確実に回転させることができる。
【００６３】
そして、回転体23は、回転体回転軸47に対して複数の部材48，49を突出させてこれら部材48，49を各回転ブラシ22，24の各部材42，43，54，55に当接可能とすることにより、第１回転ブラシ22の回転に伴う回転体23および第２回転ブラシ24の回転によって回転体23の部材48，49が各回転ブラシ22，24の各部材42，43，54，55に当接することで各回転ブラシ22，24の各部材42，43，54，55に付着した塵埃を除去でき、各回転ブラシ22，24を常時クリーニングできる。
【００６４】
同様に、各回転ブラシ22，24の各ブラシ部材42，54の先端部を接触可能とすることにより、これら回転ブラシ22，24の回転により各ブラシ部材42，54の先端部が当接して、これら各ブラシ部材42，54に付着した塵埃を除去できる。
【００６５】
なお、上記一実施の形態において、回転体23は、第２回転ブラシ24を回転させることが可能であれば、任意の構成とすることが可能である。
【００６６】
また、第１回転ブラシ22は、ベルト36に代えてギヤ列などによりモータ21と接続して回動させてもよい。
【００６７】
さらに、モータ21は、回転体23を回転させるように構成し、この回転体23と各回転ブラシ22，24との当接によってこれら回転ブラシ22，24を回転させるようにしてもよい。
【００６８】
そして、各部材42，43，48，49，54，55は、それぞれ周方向に所定角度、例えば１８０°捻らずに、直線状に形成してもよく、また、各部材42，43、各部材48，49および各部材54，55は、第１ブラシ台41、回転体回転軸47および第２ブラシ台53と別体に形成してこれら第１ブラシ台41、回転体回転軸47および第２ブラシ台53にそれぞれ取り付けてもよいし、これら第１ブラシ台41、回転体回転軸47および第２ブラシ台53とそれぞれ一体的に形成してもよい。
【００６９】
また、回転体23および各回転ブラシ22，24は、複数種類の部材をそれぞれ有しているが、例えば３種類以上の異なる部材を互いに異なる突出量や互いに等しい突出量で突出させたり、あるいは１種類の部材のみを互いに異なる突出量や互いに等しい突出量で複数突出させたりしてもよい。
【００７０】
さらに、床ブラシ９に、この床ブラシ９の走行方向を検出するスイッチなどの走行方向検出手段を設け、この走行方向検出手段により検出した床ブラシ９の走行方向に対応してモータ21の回転方向を切り換えてもよい。この場合には、各回転ブラシ22，24が床ブラシ９の前進時および後退時のそれぞれでこの床ブラシ９の走行方向に沿って回転するため、より確実に走行補助できる。
【００７１】
さらに、電気掃除機の細部は、上記構成に限定されるものではない。
【図面の簡単な説明】
【００７２】
【図１】本発明の一実施の形態の吸込口体を示す底面図である。
【図２】同上吸込口体を示す縦断面図である。
【図３】同上吸込口体を備えた電気掃除機を示す斜視図である。
【符号の説明】
【００７３】
１    掃除機本体
２    電動送風機
９    吸込口体としての床ブラシ
11    吸込口体本体としてのケース体
21    駆動手段としてのモータ
22    第１回転清掃体としての第１回転ブラシ
23    回転体
24    第２回転清掃体としての第２回転ブラシ
53    軸部としての第２ブラシ台
54    第１清掃部材としての第２ブラシ部材
55    第２清掃部材としての第２ブレード部材
Ｆ    被掃除面としての床面
【図１】
0005038880.tif 000002
【図２】
0005038880.tif 000003
【図３】
0005038880.tif 000004